(57)【要約】【課題】外観が美麗であり、長期の仕様に耐え得ることから、標示用ポールや盲人用の道路横断などの案内表示用に使用することを目的にするものである。【解決手段】本発明による標示用ポールは、エチレンプロピレンジエンモノマーを使用し、この材質は化学的に安定したゴム材質のため、老化はし難い。さらには老化防止剤を添加しない非汚染性の配合したものである。長期使用による外観の劣化や汚染がなく、また盲人などへの信号案内にも利用できる。【選択図】図１
2007138673.tif 000002
【特許請求の範囲】
【請求項１】
道路上に設置する標示用ポールにおいて、ゴム製の本体部と内部を空洞とした空洞部、さらには該本体部外面をウレタン系樹脂により塗装された表面部とにより形成されたことを特徴とする標示用ポール。
【請求項２】
ゴム製本体には老化防止剤を含まない材質としたことを特徴とする請求項１記載の表示用ポール。
【請求項３】
空洞部に、振動部材を装着したことを特徴とする請求項１、２記載の標示用ポール。
【請求項４】
請求項１から請求項２の何れかにおいて、表面に交通信号機能を装備したことを特徴とする標示用ポール。
【発明の詳細な説明】
【技術分野】
【０００１】  本発明は、耐候性があり長期間使用しても変色しない表示用ポールに関し、詳しくは盲人用表示機能の付加をゴム製表示ポールにて実現する技術に関する。
【背景技術】
【０００２】  従来、例えば車道の分離線として、また車道と歩道との境界線として、また公園や街路等の車止め用として一般に標示用ポールが使用されている。これら標示用のポールは、例えば、細長い円筒状の部分と、該部分の外側を覆う中空の被覆部分とを備えたものが知られている。（特許文献１）
上記の表示用ポールは、円筒状部分として複数の金属パイプをコイルばねで接合したものが用いられ、このポールの上部は中空の被覆部分を構成するエラストマー緩衝部から構成されている。また中間部は屈曲復元可能を可能にするため上記コイルばねが配置され、また下部は上記金属パイプが配置され、例えば地面に固定可能となっている。
一方、実公平７−４７４４９号公報（特許文献２）には、標示用のポールとして、その被覆部をゴムチップにウレタン系バインダを混合した混合物を所定の型に流し込むことにより中空状に成形することが示されている。この標示用ポールでは、外装部内に配置される金属製本体部は、上端が半球状に形成されていて外装部における高さ方向中間部まで嵌挿されており、こうして本体部の上端部を半球状に形成することにより、外装部が撓んだときに滑らかに変形させるようにしている。（特許文献２）
これらを解決するものとして、金属からなる本体部と、上記本体部が圧入される中空の外装部とを備える標示用ポールにおいて、上記本体部は電着塗装させた標示用ポールが提案されている。（特許文献３）
また、近年交差点での音による案内が深夜騒音となることもあり、その解決策が待たれている。【０００３】
【特許文献１】実公平６−４５４５０号公報
【特許文献２】実公平７−４７４４９号公報
【特許文献３】特開２００４−６８４３８号公報
【発明の開示】
【発明が解決しようとする課題】
【０００４】  本発明は、かかる従来の表示用ポールにおける従来の問題点を解決すべき開発されたものであり、かつ外観が美麗であり、長期の仕様に耐え得ることから、標示用ポールや盲人用の道路横断などの案内表示用に使用することを目的にするものである。
【課題を解決するための手段】
【０００５】  本発明により提供される表示用ポールは、道路上に設置する標示用ポールにおいて、ゴム製の本体部と内部を空洞とした空洞部、さらには該本体部外面をウレタン系樹脂により塗装されたことを特徴とする標示用ポールであり、ゴム製本体には老化防止剤を含まない材質とした標示用ポールである。【０００６】  さらにはこの標示用ポールの空洞部に、振動部材を装着したものであり、表面に交通信号機能を装備したことを特徴とする標示用ポールである。【０００７】  従来使用されているものが、多くの欠点を有していることに鑑み、比較例として、その材質はナチュラルラバー（天然ゴム）或いはスチレンブタジエンラバーからなり、主にタイヤ製造に使用される天然ゴム／合成ゴムからなるゴム材である。この材質は、老化或いは劣化を抑えるため強力な老化防止剤が添加されているため、塗料の付着を阻害し、塗布後に変色する可能性が大きい。ゴム硬度は７０度品を使用した。【０００８】  これに対し本発明は、  エチレンプロピレンジエンモノマーを使用し、この材質は化学的に安定したゴム材質のため、老化はし難い。さらには老化防止剤を添加しない非汚染性の配合したものである。ゴム硬度は７０度品を使用した。【０００９】  これら両者を比較検討するための実験を、以下の実験条件で行った。
▲１▼サイズ
縦／横１００ｍｍ  Ｘ  厚さ２ｍｍ  のテストピースに塗布した。
▲２▼塗料
材質      …  ウレタン系塗料
塗膜厚さ  …  約３０ミクロン
色        …  全ての塗料色に対応できるが実験には、視認性を確保するため                        銀色を使用した。
▲３▼折り曲げ試験
塗料塗布後のテストピースに１８０度折り曲げ試験を１０回繰り返した。
折り曲げ時に塗料の剥離、ひび割れを判定する。
判定は目視による。
▲４▼伸び試験
車のキー（突起物）を塗料塗布後のテストピースに強く当て、強い圧力での塗          料の伸びを測定した。
折り曲げ時に塗料の剥離、ひび割れを判定する。
判定は目視による。
▲５▼熱老化試験
ギヤーオーブン試験機を使い、温度７０℃で２４時間Ｘ５日間、１０日間の加          熱状態での塗料劣化、変色を測定した。
判定は目視による。
▲６▼紫外線試験
サンシャインウエザーメーターを使い、１０日間の紫外線による塗料劣化、変          色を測定した。尚、判定は目視による。【００１０】  これら比較実験の結果、資料の剥離はいずれも認められなかったものの、図３に示す通り本発明は折り曲げ試験・突起物による伸び試験・熱老化試験・紫外線試験など全てで満足のいくものであった。これに反し、比較例では、折り曲げ試験と突起物による伸び試験では満足のいくものであったが、熱老化試験及び紫外線試験では、塗料の艶が全くなくなり、商品とはならないものであった。
【発明を実施するための最良の形態】
【００１１】  以下、本発明の好適な実施形態を説明する。なお、本明細書において特に言及している事項（例えば標示用ポールの大きさや使用方法等）以外の事柄であって本発明の実施に必要な事柄（例えば盲人用の利用による振動方法）は、当該分野における従来技術に基づく当業者の設計事項として把握され得る。本発明は、本明細書に開示されている内容と当該分野における技術常識とに基づいて実施することができる。【００１２】  本発明の標示用ポール１は、実施例においてその外形は直径が１２５ｍｍ、内径が８０ｍｍ、高さが１０５０ｍｍである。本体部２とその表面を被覆する表面部３、さらには表示機能を有する表示部４と、該表示部４の表示機能を有する機能部５からなり、該機能部５は表示以外の機能である振動機能の場合の振動部６からなり、該機能部５は本体部２内部の空洞部７に装着されている。
また、本体部の上部に任意（図面上は二箇所）の僅かの凹み部８を形成し、該凹み部８に反射テープを貼着したり、反射塗料を塗装することにより視認性を高めるなどは任意に実施できるものである。【００１３】  本体部２の材質はＥＰＤＭとして略称されているエチレンプロピレンジエンモノマーからなり、該ＥＰＤＭは化学的に安定したゴム材質のため、老化はし難いものである。さらに老化防止剤を添加しない非汚染性の配合からなるものである。この場合のゴム硬度は５０〜８０度品が好ましい。【００１４】  本体部２の表面を被覆するように形成した表面部３は、塗料材料として販売されているウレタン系塗料を使用し、その塗り厚である塗膜厚さは約２０〜４ミクロン厚で、このましくは３０ミクロン厚となるように塗装したものである。該塗料材料が市販されているものであり、当然のこととして色は全ての塗料色に対応できるものである。【００１５】  また、触ることで必要情報を伝達させるための振動装置は、すでに携帯電話などに利用されている振動装置などを利用するものである。
接触や振動には本発明のゴム硬度は、その材質上極めて有効である。
【産業上の利用可能性】
【００１６】  本発明は、従来使用されている樹脂製ポールの欠点である樹脂による帯電による屋外設置からくる空気中の粉塵を吸着し汚れやすいが、本発明の標示用ポールはカーボンを補強材として多く使用しているため帯電せず、長期使用においても汚れが極めて少ない。また、樹脂は長期の使用により硬化するため脆くなるが本発明はこのようなことが全くない。【００１７】  ゴムの性質上の良さを利用し折り曲げたりできる長所があるが、この弾性力やゴムには各種の添加剤を加えるため、これが離形剤の働きを果たし塗料が剥離するため、塗装が極めて難しい。そのため自動車等意匠や美観を重視するものは樹脂塗装にせざるを得ないが、本発明によれは外観の極めて美麗なゴム塗装を得ることができる。
以上に説明したしたとおり、本発明は長期使用によっても美観を損ねることが無く、安価であり、緊急時の救急車や消防自動車の進入時には、その本体がゴム製であるため、用意に押し倒して進入できるなど従来、ゴムの塗装は不可能であるとも言われた塗装品を提供できめものである。
【図面の簡単な説明】
【００１８】
【図１】  本発明の標示用ポールの外観図である。
【図２】  本発明を示す断面図である。
【図３】  従来例との比較を示す表である。
【符号の説明】
【００１９】１  標示用ポール
２  本体部
３  表面部
４  表示部
５  機能部
６  振動部
７  空洞部
【図１】
2007138673.tif 000003
【図２】
2007138673.tif 000004
【図３】
2007138673.tif 000005